(57)【特許請求の範囲】
【請求項１】
内部に電池及び発光体を収容してなる餌木であって、電池は電池全長よりも長い電池収容体内部で滑らかに摺動するように納められていて、 餌木に接続されている道糸の操作により、発光体に供給される電源を入・切りする事が可能なスイッチ機構を有することを特徴とする発光・消光餌木。
【発明の詳細な説明】
【技術分野】
【０００１】
本発明は烏賊釣り用餌木（ルアーを含む疑似餌の総称）に関するもので、特に電池を電源として道糸の操作により、電池収容体内の電池が摺動することで、発光体を発光・消光させる餌木に関するものである。
【背景技術】
【０００２】
魚や烏賊等の獲物を釣るために使われる餌木は、餌木全体又はその一部に蛍光塗料や蓄光塗料等を塗布したもの、化学反応で発光する発光体を餌木に装着したもの、及び電池等の電源と発光体を組み込んだ発光餌木等が知られている。
【０００３】
化学反応で発光する発光体を装着するタイプの餌木の出願は、特開昭６１−５２２２６、実開平５−５３４６６などがあり、電池を電源として発光させる餌木に関する出願は特開２０００−２０１５７８、特開平１０−２０１３９９、特開２０００ー１５７１０７など多くの出願が知られており、電池以外の電源を利用する発光餌木には、圧電素子を利用した特開２００１−２２４２８１及び特開平１１−２５３０７１等が出願されている。
【特許文献１】特開昭６１−５２２２６号公報
【特許文献２】実開平５−５３４６６号公報
【特許文献３】特開２０００−２０１５７８号公報
【特許文献４】特開平１０−２０１３９９号公報
【特許文献５】特開２０００ー１５７１０７号公報
【特許文献６】特開２００１−２２４２８１号公報
【特許文献７】特開平１１−２５３０７１号公報
【特許文献８】実開５７−２３１７６号公報
【特許文献９】特開平１１−２５３０７１号公報
【特許文献１０】特開２００１−２２４２８１号公報
【特許文献１１】実願昭５０−０４２８９４号公報
【特許文献１２】実願昭５０−１０９３９９号公報
【発明の開示】
【発明が解決しようとする課題】
【０００４】
魚類は視覚、聴覚、臭覚等により餌を物色し捕獲するとされており、餌木は獲物の魚類に、餌木投入時の着水音や水中での移動音等にも関心を引かせ、餌食対象物として視認させるのであるが、夜間や自然光の届き難い場所でも光ることで視認され易く、更に主として餌の小魚に似せようとするものであり、そのために電池を電源として常時発光させる餌木の古くは、実開５７−２３１７６など多数の出願がある。
【０００５】
獲物の魚類は、餌となる対象物が危険を察して逃げようとする様々な回避行動で生きている確証を得て更に刺激されて追尾し捕食する本能があり、従来から知られている常時発光している餌木では、危険が迫っても常に光って自らの存在を誇示しているかのようで、獲物の魚類は不自然さと警戒心、恐怖心を抱き捕食行動に移り難く、更に釣り人の竿の操作で相手から離れて逃げようとする小魚の動きは出来ても、消光する事は出来ないため小魚が身を隠そうとする行動時の、目や鱗からの反射光の変化に似せて操作する事に限界があり、竿の操作による技法で小魚に似せる事は至難であった。
【０００６】
一方発光餌木の中で、電池を電源として発光・消光を等間隔で繰り返す機能を持つ餌木が市販されており、この等間隔で発光・消光する餌木は、常時発光している餌木よりも更に遠方から発見され易く、獲物の魚類に与える興味度と集魚効果は充分であるが、獲物の魚類が小魚と思い餌木に接近しても、相変わらず一定間隔で発光・消光を繰り返すだけでは上記した様な小魚が示す危険回避行動に伴う光の変化が単調、且つ不自然であり、獲物の魚類に警戒心を与えて食い渋らせ、釣果を上げる事が困難であった。  
【０００７】
また、特開平１１−２５３０７１や特開２００１−２２４２８１等は圧電素子を利用して発光するタイプであるが、複雑な構造であって、釣り人が道糸の操作で圧電素子に衝撃を与え、潮流などによって発電するもので、発光時間は瞬時の一定であるため、乏しい発光表現に終始して釣果に繋がり難く、幾度となく繰り返される遠投時や着水時の破壊的な衝撃は発電部の故障や耐久性への不安も生じる等の問題点があった。
【０００８】
本発明はこれら上記した問題点を解決する為に、従来の発光餌木とは異なり、投入された餌木を釣り人が釣竿でしゃくる等して、道糸を張ったり緩めたりすると、それに応じて餌木頭部が上方向又は、下方向を向いたりする事等で、餌木内部の可動な電池等に重力のかかる方向を変えたり、慣性を作用させる事等により、餌木は釣り人の意志通りの発光・消光及び発光時間の長短が可能となり、獲物の魚類に餌木を一、二度見失わせて生きている確証と焦燥心を与える等の技法により、獲物の魚類が餌木を再発見した時は躊躇せず餌木を捕獲し、釣果に繋げる事が出来る餌木の開発を課題としている。
【課題を解決するための手段】
【０００９】
上記課題を解決する本発明の発光・消光餌木は、内部に電池及び発光体を収容してなる餌木であって、電池は電池全長よりも長い電池収容体内部で滑らかに摺動するように納められていて、餌木に接続されている道糸の操作により、発光体に供給される電源を入・切りする事が可能なスイッチ機構を有することを特徴とする。
【発明を実施するための最良の形態】
【００１０】
本発明の実施の二例を以って図面を参照しつつ説明する。双方の実施例は、リチウム電池のビン型形状であり、図１、図２は本発明の発光・消光餌木の外観図であり、餌木本体３１は市販されている烏賊などの釣りに使われる餌木を転用したもので、胸ヒレ近傍に取り付けられているバランスウエイト１２は、餌木の頭部方向からの沈降や沈降速度等を調整するためのものであり、餌木本体は電池収容体８、発光ダイオード１０の発光体、及びその接続線等を収容して構成されており、全実施例とも電池両極の取り出し部、結線部等は防水、防錆と多少の衝撃対策を必要とする。
【実施例】
【００１１】
本発明の第一実施例は、ビン型の外周が陰極のリチウム電池を電源として利用するもので、図１、図２に示すように餌木本体３１に組み込んだ電池収容体８は、リチウム電池を収容するためのものであって電気的な入・切機能と防水機能を備えており、その外観及びその断面は図３、図４に示した。
【００１２】
図３、図４の電池収容体８は堅牢な非導通の合成樹脂で円筒状に形成し、さらに、ねじ込み部先端より約2.0mm幅を除いた内面を導電体で仕上げ、その内面から電池の収容体陰極５を電池収容体外部へ導極して陰極２７とし、餌木本体３１の頭部内に配置した市販の規格１.６Ｖ、1mA〜30mA(HLMP−1700白)の発光ダイオード１０の陰極と結線する。一方の発光ダイオード陽極は電池収容体内に絶縁体６を介在した円形板の電池収容体陽極４から電池収容体外部へ導極した陽極２６と結線する。
【００１３】
更に、この電池収容体陽極４は電池収容体８の、ねじ込み部分に設けられているプラスリード３３と結線されており、リチウム電池１の装着時には、このプラスリード３３と脱着蓋９内の円形の陽極導電板１８と接触して導通状態となり、電池収容体８内への電池挿入方向を左右どちらにしてもリチウム電池の陽極を導極することが可能であって、餌木内で発光した発光ダイオード１０に接する透光体によって餌木外部へ導光させるものである。
【００１４】
リチウム電池のサイズは直径が4.2mm、長さは25.0mm、電圧3.0Vの規格品であり、電池収容体は上記の方法で製作し、その内径を4.4mmにして、内部でリチウム電池１がスムーズに摺動するように仕上げたが、内部に水が浸水する事を防止するための防水周縁帯７を介在して脱着蓋９を完全に閉めた状態で、内部空間の長さはリチウム電池１よりも2.0mm長い27.0mとした。この事により電池収容体８に収められたリチウム電池は内部で2.0mmの範囲で摺動する事になるが、リチウム電池が摺動してもこのタイプの電池は外周が陰極であるため、電池収容体内面の電池収容体陰極５と常に接触しているので、餌木頭部の発光ダイオード１０の陰極とリチウム電池陰極は常時導通状態である。
【００１５】
図４の電池収容体陽極４は電池収容体外部へ導極した陽極２６と、発光ダイオード１０の陽極と接続しており、電池の陰極３は発光ダイオード１０の陰極と常時接続されているので、電池収容体８に収められたリチウム電池１が内部で摺動すると、リチウム電池陽極２の先端が電池収容体陽極４と接したり離れたりして、発光ダイオード１０が発光したり消光したりする。
【００１６】
図１に示したように電池収容体８は餌木本体３１に対して、平行又は前方にやや下向きに取り付けたので、投入された水中の餌木は、餌木のラインアイ２９に接続されている道糸１３が張られない限りバランスウエイト１２の効果により頭部を下にして沈降し、図４のリチウム電池の装着方向で投入された餌木は、リチウム電池１の陽極２が電池収容体陽極４から離れるので、発光ダイオード１０への電流は流れず消光状態を呈する。道糸１３を強く引く、しゃくる等すると餌木は上を向く等、電池収容体内のリチウム電池に慣性や重力が作用して、リチウム電池の陽極２は電池収容体陽極４に接触して導通し、発光ダイオード１０が発光する事で餌木の発光となり、その状態で強く引き続けると餌木は発光しながら位置を変える。また、餌木を緩く引き続けることで電池収容体内のリチウム電池が不動な場合、餌木は消光しながら位置を変える事となる。
【００１７】
餌木の垂直状態と、水平方向とでは電池収容体内のリチウム電池にかかる重力の関係で多少の違いは生ずるが、餌木を短い間隔で強く引く、しゃくる等した場合、水の抵抗を受けない電池収容体内のリチウム電池は、餌木に固定装着された電池収容体よりもより長い間、慣性が作用するため摺動し、しゃくり等に会わせて餌木は発光・消光を繰り返すこととなる。
【００１８】
電池収容体内のリチウム電池の向きを図４とは逆方向で装着した場合、餌木の動きにより電池収容体内に収められたリチウム電池が内部で摺動すると、リチウム電池の陽極２は電池収容体脱着蓋９内の円形の陽極導電板１８に接触したり離れたりして、餌木頭部の発光ダイオード１０が発光したり消光し、道糸１３を強く引いたりしゃくると消光する等、餌木は上記とは逆の発光・消光を呈する。この餌木の発光・消光方法を選択可能とした事で、釣り人は更に高度な獲物の魚類への誘い技法の選択に通ずる事となり、多彩な釣り技法の楽しみ方と多くの釣果を得る事となる。
【００１９】
上記及び下記の本発明の実施例は、発光体として白色発光ダイオード１０を使用したものであり、餌木本体３１叉は、発光体収容部分を透光体で製作した場合は餌木内部の発光ダイオード１０の光を餌木外部へ透光するため必要としないが、餌木本体３１叉は、発光体収容部分を不透光体で製作した場合は、餌木外部への発光手段を両端が半球状の透光性と、僅かな屈曲性を有した緩やかなＶ、又はＵ字形の透光棒状体１１を餌木頭部側面より発光ダイオード１０と接触させながら直線形状で貫通装着させ、棒状体の復元力により左右のズレもなく安定さながら、発光ダイオード１０からの光を餌木３１の両眼に導く構造とするもので、この方法により水質、気象条件等や獲物の魚類が好む色調の種々異なった透光棒状体を準備すれば、事象に応じて容易に速やかな対応交換が可能となり、更に大きな釣果に繋がる事となる。
【００２０】
第二実施例を説明する。本発明の前記第一実施例では市販の餌木を転用したが、本発明の餌木一部側断面拡大図６に示す様に餌木本体を餌木脱着端部３２との分割構造とし、更に図４を応用した発光ダイオード１０と電池収容体８を一体化形成してなる電池収容体、図５を、分割した餌木の一方に挿入配置して電池収容体埋め込み型に形成し、電池収容体脱着蓋９を代用して堅牢な合成樹脂等で形成した餌木脱着端部３２を、防水の為の防水周縁帯７を介在させてねじ込み方式で結合するものである。
【００２１】
収容されたリチウム電池の摺動及び作用効果は第一実施例と同様であり省略するが、双方の実施例共、同じような効果を生ずる。実施例では電池収容体内のリチウム電池が軽量である事と、リチウム電池の摺動範囲も2.0mmであるためリチウム電池陽極２と電池収容体内陽極４や、電池収容体脱着蓋内及び餌木脱着端部内の陽極導電板１８との接触時の衝撃度は比較的小さい。
【００２２】
第二実施例では結合部を餌木の中央部や尾部に設けることも可能であり、特に結合方法、結合位置、発光体、電池収容体の配置及び電池の摺動範囲等を限定するものでは無く、発光ダイオードと一体化形成した図5の、電池収容体の利用方法も実施第二例に限定するものではない。電池の応用の違いにより実施の二例を詳細に説明したが、実施例の電池及び発光体の種類、形状にこだわるものではなく、更に実施例の限定にとどまるものでもない。
【産業上の利用可能性】
【００２３】
釣り人は道糸を通じて電池収容体内の電池の摺動により、水中の餌木の発光・消光、発光時間の長短などを制御する事で絶大な集魚効果と、生きた小魚により一層近い餌木の飛躍的な身のこなしが可能となり、獲物の動きと、餌木の発光・消光を伴う動きをイメージしながら釣り竿を操作し、餌木を生きた餌食対象物に似せる高度な釣りのアクション技法を楽しむ事と同時に、獲物の魚類の食い渋りも少なくなり釣果も大きく期待出来るようになった。    
【図面の簡単な説明】
【００２４】
【図１】本発明の第一実施例の餌木の外観側面図
【図２】本発明の第一実施例の餌木の外観平面図
【図３】本発明の第一実施例の電池収容体の外観拡大図
【図４】図３のＡ−Ａの断面図
【図５】本発明の発光ダイオードと電池収容体との一体化形成の電池収容体の側断面拡大図
【図６】本発明の第二実施例の餌木一部側断面拡大図
【符号の説明】
【００２５】
１  リチウム電池
２  リチウム電池陽極
３  リチウム電池陰極
４  電池収容体陽極
５  電池収容体陰極
６  絶縁体
７  防水周縁帯
８  電池収容体（リチウム電池）
９  電池収容体脱着蓋
１０発光ダイオード
１１透光棒状体
１２バランスウエイト
１３道糸
１８陽極導電板
２６陽極
２７陰極
２９ラインアイ
３１餌木本体
３２餌木脱着端部
３３プラスリード
３４フック
【図１】
0003587385.tif 000002
【図２】
0003587385.tif 000003
【図３】
0003587385.tif 000004
【図４】
0003587385.tif 000005
【図５】
0003587385.tif 000006
【図６】
0003587385.tif 000007